(57)【要約】【課題】  手動式のテープカッタであって、特に、カットするテープ長を任意に設定可能とし、粘着テープの引き出しを任意の位置で停止させて希望する正確な長さの粘着テープを供給するテープカッタを提供する。【解決手段】  テープカッタ本体と、捲回された粘着テープと、粘着テープを回動可能に保持するテープ保持部と、テープを切断するテープ切断部とからなるテープカッタであって、繰り出すテープの長さを任意に設定するテープ繰出長調節機構と、該テープ繰出長調節機構で設定した長さのテープが引き出し操作により繰出されるとテープ保持部の回転が停止する主ローラ回転停止機構とを装備した構成である。【選択図】  図１
2013023304.tif 000002
【特許請求の範囲】
【請求項１】
テープカッタ本体と、捲回された粘着テープと、粘着テープを回動可能に保持するテープ保持部と、粘着テープを切断するテープ切断部とからなるテープカッタにおいて、
繰り出す粘着テープの長さを任意に設定するテープ繰出長調節機構と、該テープ繰出長調節機構で設定した長さの粘着テープを引き出し操作により繰出すると主ローラの回転が停止する主ローラ回転停止機構と、を装備したことを特徴とするテープカッタ。
【請求項２】
前記主ローラ回転停止機構は、粘着テープ引き出し時に粘着テープの接合押圧によって上昇し、引き出し操作終了時にバネによる付勢で下降する回転制御ローラと、前記回転制御ローラを支持し軸回転をする回転制御アームと、前記アームの軸回転に同調して上昇または下降する主ローラと、前記主ローラと同軸で回転し主ローラと同調して上昇または下降する第一ギヤと、前記第一ギヤに噛合する第二ギヤと、前記第二ギヤと噛合する回転ストッパ付きギヤと、前記回転ストッパ付きギヤの回転ストッパ部が当接する回転停止当接部と、からなり、
回転制御ローラが引き出される粘着テープの接合押圧により上昇すると、回転制御ローラを支持する回転制御アームが軸回転して主ローラを押し下げ、主ローラと同軸で回転するギヤが主ローラの下降動作に同調して下降した時に回転ストッパ付きギヤに噛合している第二ギヤに噛合して主ローラの回転により回転ストッパ付きギヤを回転させ、任意の繰出長に達するまで主ローラの回転を許容し、
前記テープ繰出長調節機構に設けられた左右移動可能な回転停止当接部に、回転ストッパ付きギヤの回転ストッパ部が当接することにより主ローラの回転が停止することを特徴とする請求項１記載のテープカッタ。
【請求項３】
前記回転ストッパ部は、回転停止当接部に当接する平坦部であり、回転ストッパ付きギヤの円板体の周縁に階段状に設けられていることを特徴とする請求項１または請求項２記載のテープカッタ。
【請求項４】
前記テープカッタは、主ローラ上でのテープ滑りを防止するために粘着テープを圧着する弾性部材を周設した補助ローラを主ローラに付設したことを特徴とする請求項１乃至請求項３記載のテープカッタ。
【請求項５】
前記テープカッタは、粘着テープ切断後に回転制御ローラが下がり、主ローラと同軸の第一ギヤと第二ギヤとの噛合が開放され、回転制御ローラが下がる分だけテープ端が引き戻されても粘着テープが剥がれ落ちないようにテープ切断部にカッターローラを並設したことを特徴とする請求項１乃至請求項４記載のテープカッタ。
【請求項６】
前記テープカッタは、主ローラへの粘着テープの密着面積を増大させるため、主ローラへの粘着テープ密着開始位置が下がるように主ローラとテープ保持部の間にテンションローラを設置したことを特徴とする請求項１乃請求項５記載のテープカッタ。
【請求項７】
前記テープカッタは、テープ繰出長調節機構と主ローラ回転停止機構を働かせずに使用する場面に対応するため、回転制御アームを固定する作動レバーを設けたことを特徴とする請求項１乃至請求項６記載のテープカッタ。
【発明の詳細な説明】
【技術分野】
【０００１】
本発明は、粘着テープを供給する手動テープカッタに関し、特に、カットするテープ長を任意に設定可能とし、粘着テープの引き出しを任意の位置で停止させて希望する長さの粘着テープを供給するテープカッタに関する。
【背景技術】
【０００２】
従来より、テープカッタは幅広い分野で使用されており、日常生活から業務に至るまで、テープカッタは必要不可欠な器具として定着している。現在では、テープカッタの機能を向上させ、また、使い勝手を良くするための技術が多く開発されている。例えば、本件の出願人は、特開２００５−７５５６０号等に開示されているテープカッタの出願人であり、且つ、他にもこの種のテープカッタの研究開発に従事している。
【０００３】
テープカッタの基本構成は、本体と、テープ保持部と、テープ切断部とからなり、テープ保持部に粘着テープが巻き取られたロール状のものが設置され、テープ保持部が軸回転することにより粘着テープが引き出され、切断部によって切断され、残留テープの先端は切断部に接着された状態で次の使用に供される状態となって、任意長のテープ切断片が供給されるものである。
【０００４】
テープカッタで供給されるカットされた粘着テープの使用態様として、包装などを貼着し、剥がれないようにすることを目的とすることが圧倒的に多いと考えられる。例えば、業務用途として、スーパーや百貨店で商品を包装用紙で梱包したり、封筒や小包を梱包する場面で使用されることが多いと考えられるが、このとき、粘着テープの長さを希望の長さに調節して切断しテープ片を使用できると便利である。特に、百貨店等で顧客の購入した商品を包装用紙で梱包する際に、テープ長が毎回異なったり、また、テープ長が長すぎたり、又は逆に短すぎたりすると、梱包し辛いばかりでなく、視覚的にも劣るという問題が生じ、さらには粘着テープを無駄に使用するという問題が生じ得る。
【０００５】
このような場面においては、シンプルな構成のテープカッタの場合、同じ正確な長さのテープ片を継続的に使用したり、希望する正確な長さのテープ長を使用するということへの対応が困難であった。
【０００６】
希望する正確な長さの粘着テープを切断し供給することを可能としたテープカッタの技術として、特開２０１０−１９５５７０号に開示された技術がある。この発明では、目盛りの記された回転ローラをテープカッタ本体に取り付け、接着テープの外周面に回転ローラを当接させて、引き出した接着テープの長さを接着テープの回転に応じて測定可能とする技術が開示されている。これは、接着テープを回転ローラに付勢圧着し、回転ローラの外周面に滑り止め防止素材を有することにより、常に接着テープに回転ローラが押圧されている状態とすることで、正確に切断する長さを計測するという工夫が採られている。
【０００７】
しかし、開示された技術では、長さの測定はテープカッタの使用者自身であるため、器具が正確な長さを測定しても、必要とする正確な長さで切断することが出来るとは限らないという問題があった。これは、同じ長さのテープ片を連続的に使用するという業務において使用される場合、十分効率的に使用できないという問題点があった。
【０００８】
また、特開２０１１−４２４４５号に開示された技術では、希望するテープ長を調節設定できるテープ調節機構と、粘着テープを引出すことでテープ長を計測するテープ計測機構と、テープ測長の要否の選択が可能なテープ切断機構とがテープカッタ本体に装備されることで、希望するテープ長のテープ片を供給する技術が開示されている。これは、粘着テープの長さをダイアルで調整し、希望の長さに粘着テープが引き出されると、粘着テープの引き出しが強制的に停止するという工夫がなされている。
【０００９】
しかし、開示された技術では、テープ計測機構のホイールに粘着テープの粘着面が貼着し回転することでテープ長を計測しているが、粘着テープの貼着が不十分であると、粘着テープがずれ、正確な長さを計測することが出来なくなるという問題があった。また、テープ長計測状態のリセットが切断と同時か少し前になる。これにより、粘着テープを十分にカットし切れない状態でテープ長計測状態がリセットされる虞があり、正確にテープ長を測って切断することが出来ないケースが生じるという問題点もあった。さらに、構造が複雑になるため、故障時の修理など対応が困難となる事が想定される。
【００１０】
業務使用においては、このような問題が生ずると、作業効率の極端な低下が生じ得る。そこで、構造が複雑になり過ぎず、且つ正確にテープ長を計測して供給することができるテープカッタの開発が望まれていた。
【特許文献１】特開２０１０−１９５５７０号公報
【特許文献２】特開２０１１−４２４４５号公報
【発明の開示】
【発明が解決しようとする課題】
【００１１】
本発明は上記問題を解決するために、手動式のテープカッタであって、特に、カットするテープ長を任意に設定可能とし、粘着テープの引き出しを任意の位置で停止させて希望する正確な長さの粘着テープを供給するテープカッタを提供することを目的とする。
【課題を解決するための手段】
【００１２】
上記の目的を達成するために本発明に係る手動テープカッタは、テープカッタ本体と、捲回された粘着テープと、粘着テープを回動可能に保持するテープ保持部と、粘着テープを切断するテープ切断部とからなるテープカッタであって、繰り出す粘着テープの長さを任意に設定するテープ繰出長調節機構と、該テープ繰出長調節機構で設定した長さの粘着テープを引き出し操作により繰出すると主ローラの回転が停止する主ローラ回転停止機構とを装備した構成である。
【００１３】
また、前記主ローラ回転停止機構は、粘着テープ引き出し時に粘着テープの接合押圧によって上昇し、引き出し操作終了時にバネによる付勢で下降する回転制御ローラと、前記回転制御ローラを支持し軸回転をする回転制御アームと、前記アームの軸回転に同調して上昇または下降する主ローラと、前記主ローラと同軸で回転し主ローラと同調して上昇または下降する第一ギヤと、前記第一ギヤに噛合する第二ギヤと、前記第二ギヤと噛合する回転ストッパ付きギヤと、前記回転ストッパ付きギヤの回転ストッパ部が当接する回転停止当接部と、からなり、回転制御ローラが引き出される粘着テープの接合押圧により上昇すると、回転制御ローラを支持する回転制御アームが軸回転して主ローラを押し下げ、主ローラと同軸で回転するギヤが主ローラの下降動作に同調して下降した時に回転ストッパ付きギヤに噛合している第二ギヤに噛合して主ローラの回転により回転ストッパ付きギヤを回転させ、任意の繰出長に達するまで主ローラの回転を許容し、前記テープ繰出長調節機構に設けられた左右移動可能な回転停止当接部に、回転ストッパ付きギヤの回転ストッパ部が当接することにより主ローラの回転が停止する構成である。
【００１４】
また、前記回転ストッパ部は、回転停止当接部に当接する平坦部であり、回転ストッパ付きギヤの円板体の周縁に階段状に設けられている構成である。
【００１５】
また、前記テープカッタは、主ローラ上でのテープ滑りを防止するために粘着テープを圧着する弾性部材を周設した補助ローラを主ローラに付設した構成である。
【００１６】
また、前記テープカッタは、粘着テープ切断後に回転制御ローラが下がり、主ローラと同軸の第一ギヤと第二ギヤとの噛合が開放され、回転制御ローラが下がる分だけテープ端が引き戻されても粘着テープが剥がれ落ちないようにテープ切断部にカッターローラを並設した構成である。
【００１７】
また、前記テープカッタは、主ローラへの粘着テープの密着面積を増大させるため、主ローラへの粘着テープ密着開始位置が下がるように主ローラとテープ保持部の間にテンションローラを設置した構成である。
【００１８】
また、前記テープカッタは、テープ繰出長調節機構と主ローラ回転停止機構を働かせずに使用する場面に対応するため、回転制御アームを固定する作動レバーを設けた構成である。
【発明の効果】
【００１９】
本発明は、上記詳述した通りの構成であるので、以下のような効果がある。
１．回転制御ローラが粘着テープ引き出し時に持ち上げられることにより主ローラ回転停止機構が動作するため、通常のテープカッタの使用と同様の使用感で設定長のテープを繰り返し得られるという効果がある。
２．主ローラ回転停止機構は、３つのギヤ部材により連動する構成で、回転ストッパ部が回転停止部に当接することで主ローラの回転が止まる単純な構成にしたため、構造が複雑になりすぎず、製造コストを抑えることができる。
３．弾性部材を周設した補助ローラを主ローラへ付設したため、粘着テープを主ローラに圧着することが可能となり、主ローラにおけるテープの滑りを有効に防止することができる。
【００２０】
４．テープ切断部にカッターローラを装備したため、回転ストッパ付きギヤの開放時に、回転制御ローラが下がる分だけテープ端が引き戻されても、粘着テープがローラに貼着して剥がれ落ちないようにすることができる。
５．主ローラの近くにテンションローラを設置したため、主ローラへのテープ密着面積が増加し、主ローラにおけるテープ滑りを防止することができる。
６．回転制御ローラを固定して主ローラ回転停止機構の動作を制御するための回転抑止機構の作動レバーを設けたため、テープ長を設定しない使用に供することができる。
【発明を実施するための最良の形態】
【００２１】
以下、本発明に係る手動テープカッタを、図面に示す実施例に基づいて詳細に説明する。図１は、本発明の手動テープカッタの斜視図であり、図２は、本発明の手動テープカッタのカバーを外した状態の斜視図である。図３は、本発明の手動テープカッタの側面透視図であり、図４は、主ローラとギヤの関係を示す側面透視図である。図５は、ギヤ噛合状態の手動テープカッタの側面透視図であり、図６は、ギヤ開放状態の手動テープカッタの側面透視図である。図７は、回転停止当接部と回転ストッパ部の当接状態を示す側面透視図であり、図８は、作動レバーの使用状態を示す側面透視図である。
本発明のテープカッタは、テープカッタ本体１０と、テープ保持部２０と、粘着テープ２２と、テープ切断部３０と、テープ繰出長調節機構４０と、主ローラ回転停止機構５０（第２図参照）からなる。
【００２２】
テープカッタ本体１０は、図１に示すように、テープ保持部２０と、テープ切断部３０と、テープ繰出長調節機構４０と、主ローラ回転停止機構５０をテープカッタ本体１０の内部に装備している。
テープ保持部２０は、捲回された粘着テープ２２を回動可能に保持する部材である。この実施例では、テープカッタ本体１０およびテープ保持部２０は樹脂素材を使用している。なお、粘着テープ２２を引き出す際にテープカッタ本体１０が粘着テープ２２を引く力によって不安定になることを防止する為、テープカッタ本体１０の下部に鉄や鉛、粘土、コンクリート等の重錘を設置する事が望ましい。
【００２３】
粘着テープ２２は、捲回された状態でテープ保持部２０に回転自在に保持され、引き出し操作により主ローラ６０に接着して主ローラ６０を回転させた後、回転制御ローラ５２を介してテープ切断部３０へと送出される。
【００２４】
テープ繰出長調節機構４０は、繰り出すテープの長さを任意に設定するための装備である。テープ繰出長調節機構４０は、図２および図３に示すように、上端のレバーから長板アーム状の部材がテープカッタ本体の内部に伸延し、内部の端部には回転停止当接部４２（第７図参照）が設置されている。テープ繰出長調節機構４０は、レバーを摺動することにより左右に平行移動する構成である。これにより、テープ繰出長調節機構４０の端部に設置された回転停止当接部４２（第７図参照）の設定位置が変更され、回転ストッパ付きギヤ５６の回転ストッパ部５８と当接する位置が変更されることになる。これにより、主ローラ６０の回転角度が変わり、回転停止の位置が変わることにより、繰り出される粘着テープ２２の長さを適宜に変更することが可能となる。なお、回転ストッパ付きギヤ５６および回転ストッパ部５８については後述する。
【００２５】
本実施例では、テープ繰出長調節機構４０のレバーを横移動させることで、アームがガイドに沿って横移動し、テープ繰出長調節機構４０のアームの下端部に設けられている回転停止当接部４２（第７図参照）が横移動する構成となっている。なお、テープ繰出長調節機構４０は、本実施例ではレバーの操作によってテープ繰出長を変更する構成となっているが、この構成に限定されるものではなく、レバー以外の手段、例えばスイッチ式やダイヤル式によりテープ繰出長調節機構４０を移動操作する構成であってもよい。
【００２６】
主ローラ回転停止機構５０は、テープ繰出長調節機構４０によって設定された長さだけテープが引き出し操作により繰出された場合に、主ローラ６０の回転を停止する機構である。主ローラ回転停止機構５０は、図４に示すように、回転制御ローラ５２と、回転制御アーム５４と、主ローラ６０と、第一ギヤ５５ａと、第二ギヤ５５ｂと、回転ストッパ付きギヤ５６と、回転停止当接部４２とから構成される。
【００２７】
回転制御ローラ５２は、粘着テープ２２の引き出し操作時に粘着テープ２２が接合押圧されることによって上昇し、引き出し操作終了時にバネ（図示せず）による付勢によって下降する動作を行う長筒体からなるローラである。回転制御アーム５４は、回転制御ローラ５２を支持し軸回転するアームであり、回転制御アーム５４の他端は主ローラ６０の軸に軸着している。主ローラ６０は、軸ごと上下動作可能となっており、回転制御アーム５４の軸回転に同調して上昇または下降する。すなわち、回転制御ローラ５２が上昇すると、回転制御ローラ５２の軸回転により、他端が軸着している主ローラ６０は下降する。逆に、回転制御ローラ５２がバネによる付勢によって下降すると、同様に回転制御ローラ５２の軸回転により、他端が軸着している主ローラ６０は上昇する。
【００２８】
第一ギヤ５５ａは、図４に示すように、主ローラ６０と同軸で回転するギヤで、主ローラ６０と同調して上昇または下降するギヤである。また、第二ギヤ５５ｂは、第一ギヤ５５ａが下降した時に第一ギヤ５５ａと噛合する構造である。第二ギヤ５５ｂは、回転ストッパ付きギヤ５６と噛合している。回転ストッパ付きギヤ５６は、第二ギヤ５５ｂと噛合しているギヤであり、回転ストッパ部５８が周縁に階段状に設けられている。回転ストッパ付きギヤ５６の回転ストッパ部５８は、設定された角度だけ回転してテープ繰出長調節機構４０の回転停止当接部４２（第７図参照）に当接する。主ローラ６０の回転は、主ローラ６０下降時に噛合する第一ギヤ５５ａに伝導し、第二ギヤ５５ｂを介して回転ストッパ付きギヤ５６によって制御される。
【００２９】
回転制御ローラ５２が引き出される粘着テープ２２の接合押圧により上昇すると、図５に示すように、回転制御ローラ５２を支持する回転制御アーム５４が軸回転して主ローラ６０を押し下げる。次に、主ローラ６０と同軸で回転する第一ギヤ５５ａが主ローラ６０の下降動作に同調して下降する。第一ギヤ５５ａは、回転ストッパ付きギヤ５６に噛合する第二ギヤ５５ｂに噛合して主ローラ６０の回転が回転ストッパ付きギヤ５６を回転させる。回転ストッパ付きギヤ５６の回転ストッパ部５８が回転停止当接部４２と当接するまで、主ローラ６０が回転し、当接した所で回転は停止されることになる。
【００３０】
図７に示すように、テープ繰出長調節機構４０の下端に設けられた左右移動可能な回転停止当接部４２に、回転ストッパ付きギヤ５６の回転ストッパ部５８が当接すると、主ローラ６０の回転が停止する。これにより、テープ繰出長調節機構４０で設定した長さ分だけの粘着テープ２２が導出されることとなる。
【００３１】
粘着テープ２２の引き出し後は、粘着テープ２２による接合押圧による持ち上げがなくなるので、図６に示すように、回転制御ローラ５２は下降状態となり、主ローラ６０は上昇する。このため、第一ギヤ５５ａと第二ギヤ５５ｂとの噛合は解消されて離れた状態となる。回転ストッパ付きギヤ５６は、回転ストッパ付きギヤ５６内部に設けられたバネ（図示せず）の付勢により、逆回転して回転前の状態に戻り、リセットされる。
【００３２】
回転ストッパ部５８は、回転ストッパ付きギヤ５６の回転に連動して回転する部材で、図７に示すように、回転ストッパ付きギヤ５６の円板体の周縁に階段状に設けられた平坦部である。本実施例では、回転ストッパ部５８は、回転ストッパ付きギヤ５６と一体的に構成されているが、回転ストッパ付きギヤ５６と連動する構造であれば、分離していてもよい。
【００３３】
回転ストッパ部５８は、平坦部であって、図７に示すように、回転停止当接部４２に当接することにより、回転ストッパ付きギヤ５６の回転を停止する。回転停止当接部４２は、テープ繰出長調節機構４０のレバーを横移動させることで、テープ繰出長調節機構４０のアームがガイドに沿って横移動し、テープ繰出長調節機構４０のアーム端部に設置された回転停止当接部４２が横移動する構成であるため、回転停止当接部４２の移動に伴い、回転ストッパ部５８の当接部の当接位置が変わる構造である。
【００３４】
本実施例では、テープ繰出長調節機構４０のレバーを回転ストッパ付きギヤ５６側に横移動させることにより、回転ストッパ部５８と回転停止当接部４２の当接位置が回転ストッパ付きギヤ５６の中心に近づくと回転ストッパ付きギヤ５６の回転量が抑えられる（すなわち、テープ長が短くなる）構成になっている。逆にテープ繰出長調節機構４０のレバーを反対側（回転ストッパ付きギヤ５６の中心より離れる側）に横移動させると、回転ストッパ付きギヤ５６の回転量が増大して、繰り出すテープの長さが長くなる構造である。これにより、回転ストッパ付きギヤ５６の回転量を自在に変更することが可能となり、連動する主ローラ６０の回転を回転ストッパ付きギヤ５６の回転量に応じて停止することができる。
【００３５】
主ローラ６０には、図２に示すように、弾性部材を周設した補助ローラ６２を付設することができる。本発明の手動テープカッタは、主ローラ６０に粘着テープ２２が接着して主ローラ６０を回転させる構造である。すなわち、粘着テープ２２の引き出し時に確実に主ローラ６０を回転させることにより、正確なテープ長の粘着テープ２２を送出することが可能となる。主ローラ６０への粘着テープ２２の接着が甘いと粘着テープ２２にずれが生じ、正確なテープ長の送出が不可能となるので、これを補助ローラ６２を設置して防止している。
【００３６】
主ローラ６０に弾性部材を周設した補助ローラ６２を付設し、主ローラ６０の回転時に粘着テープ２２を主ローラ６０に圧着することでテープ滑りを防止することが可能となる。
【００３７】
テープ切断部３０には、図１に示すように、カッターローラ７０を装備することが可能である。本発明の手動テープカッタは、粘着テープ２２切断後に回転制御ローラ５２が下がることで、主ローラ６０と同軸の第一ギヤ５５ａと第二ギヤ５５ｂとの噛合が開放され、回転制御ローラ５２が下降する。これにより、回転制御ローラ５２が下降する分だけテープ端が引き戻されることになる。このとき引き戻された粘着テープ２２がテープ切断部３０から離れると次の操作に支障を来たすので、剥がれて落ちないよう、テープ切断部３０に粘着テープ２２を接着保持するカッターローラ７０を装備している。
【００３８】
これにより、粘着テープ２２が引き戻された分だけカッターローラ７０が回転しても、カッターローラ７０に粘着テープ２２が接着した状態を保持可能となり、次回の粘着テープ２２の引き出し時に粘着テープ２２が剥がれ落ちることを回避することが可能となる。
【００３９】
テープカッタ本体１０には、図１に示すように、主ローラ６０とテープ保持部２０の間にテンションローラ８０を装備することができる。このテンションローラ８０により、主ローラ６０への粘着テープ２２の密着開始位置を下げることが可能となり、主ローラ６０への粘着テープ２２の密着面積が増大する。これにより、粘着テープ２２を主ローラ６０にさらに圧着することが可能となり、主ローラ６０の回転時にテープ滑りを防止することが可能となる。
【００４０】
テープカッタ本体１０には、図１に示すように、作動レバー９０が設けられる。作動レバー９０は、回転制御ローラ５２を固定するものである。図８に示すように、作動レバー９０を操作することにより、作動レバー９０から伸延するアームが主ローラ６０下部に当接し、回転制御ローラ５２の上昇および主ローラ６０の下降が防止される。これにより、テープ繰出長調節機構４０と主ローラ回転停止機構５０を働かせずにフリーな状態で使用することに対応することが可能となる。
【００４１】
作動レバー９０は、本実施例ではレバー式であるが、この形式に限定されるものではない。ボタン式、スイッチ式等により回転制御ローラ５２の上昇および主ローラ６０の下降を防止する構成であってもよい。
【図面の簡単な説明】
【００４２】
【図１】本発明の手動テープカッタの斜視図
【図２】本発明の手動テープカッタのカバーを外した状態の斜視図
【図３】本発明の手動テープカッタの側面透視図
【図４】主ローラとギヤの関係を示す側面透視図
【図５】ギヤ噛合状態の手動テープカッタの側面透視図
【図６】ギヤ開放状態の手動テープカッタの側面透視図
【図７】回転停止当接部と回転ストッパ部の当接状態を示す側面透視図
【図８】作動レバーの使用状態を示す側面透視図
【符号の説明】
【００４３】
１０  テープカッタ本体
２０  テープ保持部
２２  粘着テープ
３０  テープ切断部
４０  テープ繰出長調節機構
４２  回転停止当接部
５０  主ローラ回転停止機構
５２  回転制御ローラ
５４  回転制御アーム
５５ａ  第一ギヤ
５５ｂ  第二ギヤ
５６  回転ストッパ付きギヤ
５８  回転ストッパ部
６０  主ローラ
６２  補助ローラ
７０  カッターローラ
８０  テンションローラ
９０  作動レバー
【図１】
2013023304.tif 000003
【図２】
2013023304.tif 000004
【図３】
2013023304.tif 000005
【図４】
2013023304.tif 000006
【図５】
2013023304.tif 000007
【図６】
2013023304.tif 000008
【図７】
2013023304.tif 000009
【図８】
2013023304.tif 000010